【手続補正書】
【提出日】平成20年4月28日(2008.4.28)
【手続補正１】
【補正対象書類名】明細書
【補正対象項目名】特許請求の範囲
【補正方法】変更
【補正の内容】
【特許請求の範囲】
【請求項１】  患者の視力を改善するための眼用レンズシステムであって：
患者の完全な近距離視力矯正に必要とされる追加パワーよりも小さい最大追加パワーを含むパワーを備えた、患者の一方の目に使用される第１の多焦点眼用レンズと；
前記患者の他方の目に使用される第２の多焦点眼用レンズと；
前記第２のレンズが前記第１のレンズと比較して近距離の目標物に対してより良い視力を提供することと；
前記第１及び第２の各レンズが目へ移植され、もしくは目の角膜上又は角膜内に配置されるよう形成されていることとからなる眼用レンズシステム。
【請求項２】  前記第１のレンズの最大追加パワーが、概略中距離視力のための追加パワーよりも大きくはない、請求項１に記載の眼用レンズシステム。
【請求項３】  前記第１のレンズが、前記第２のレンズと比較して無限遠の目標物に対してより良い視力を提供する、請求項１に記載の眼用レンズシステム。
【請求項４】  前記第２のレンズによって提供される最良の視力が、近距離の目標物に対するものである、請求項１に記載の眼用レンズシステム。
【請求項５】  前記第２のレンズが、中距離視力のための追加パワーを含むパワーを有している、請求項１に記載の眼用レンズシステム。
【請求項６】  前記第２のレンズが複数の環状光学ゾーンを有し、第１の前記ゾーンが前記中距離視力のための追加パワーを有し、第２の前記ゾーンが前記中距離視力のための追加パワーとは異なるパワーを有している、請求項１に記載の眼用レンズシステム。
【請求項７】  前記第２のレンズが追加パワーを有し、前記第２のレンズの最小の追加パワーが、概略中距離視力のための追加パワーよりも大きくはない、請求項１に記載の眼用レンズシステム。
【請求項８】  前記第１のレンズのパワーが、概略遠距離視力のための前記パワーから概略中距離視力のための追加パワーまで変化している、請求項１に記載の眼用レンズシステム。
【請求項９】  前記第２のレンズが、概略近距離視力のための追加パワーから概略中距離視力のための追加パワーまで変化したパワーを有している、請求項１に記載の眼用レンズシステム。
【請求項１０】  前記第１のレンズの最大追加パワーが約１．７５ジオプタよりも大きくはない、請求項１に記載の眼用レンズシステム。
【請求項１１】  前記第１及び第２のレンズが眼内レンズである、請求項１に記載の眼用レンズシステム。
【請求項１２】  前記第１及び第２のレンズがコンタクトレンズである、請求項１に記載の眼用レンズシステム。
【請求項１３】  前記第１及び第２のレンズが角膜象眼である、請求項１に記載の眼用レンズシステム。
【請求項１４】  患者の視力を改善するための眼用レンズシステムであって：
遠距離視力のためのパワーと、前記患者の完全な近距離視力矯正に必要とされる追加パワーよりも小さい最大追加パワーとを含むパワーを有する、前記患者の一方の目に使用される第１の多焦点眼用レンズと；
中距離視力のための中距離追加パワーを有する、患者の他方の目に使用される第２の多焦点眼用レンズと；
前記第１のレンズが前記第２のレンズと比較して無限遠の目標物に対してより良い視力を提供することと；
前記第１及び第２の各レンズが目へ移植され、もしくは目の角膜上又は角膜内に配置されるよう形成されていることとからなる眼用レンズシステム。
【請求項１５】  前記第１のレンズのいずれの領域の最大追加パワーも、概略中距離視力のための追加パワーよりも大きくはない、請求項１４に記載の眼用レンズシステム。
【請求項１６】  前記第２のレンズのいずれの領域の最小追加パワーも、概略中距離視力のための追加パワーよりも大きくはない、請求項１４に記載の眼用レンズシステム。
【請求項１７】  患者の視力を改善するための眼用レンズシステムにおいて：
患者の一方の目に使用するための第１の眼内レンズであって、光軸と、前記光軸に対して半径方向に配置された第１、第２、第３の光学ゾーンとを備え、前記第２のゾーンが前記第１及び第３のゾーンの中間に位置して前記第１及び第３のゾーンのいずれよりも大きい追加パワーを有し、最大追加パワーが約１．７５ジオプタよりも大きくはない第１の眼内レンズと；
前記患者の他方の目に使用するための第２の眼内レンズであって、光軸と、前記第２のレンズの光軸に対して半径方向に配置された第１、第２、第３の光学ゾーンとを備え、前記第２のレンズの第２のゾーンが、前記第２のレンズの第１及び第３のゾーンの中間に位置して前記第２のレンズの第１及び第３のゾーンのいずれよりも大きい追加パワーを有している第２の眼内レンズと；
前記第１のレンズが前記第２のレンズと比較して無限遠の目標物に対してより良い視力を提供し、前記第２のレンズが前記第１のレンズと比較して中距離から近距離までのより良い視力を提供することとからなる眼用レンズシステム。
【請求項１８】  前記第１のレンズの複数の光学ゾーンがほぼ環状で、ほぼ同心である、請求項１７に記載の眼用レンズシステム。
【請求項１９】  前記第２のレンズの第１、第２、第３の光学ゾーンがほぼ環状で、ほぼ同心である、請求項１７に記載の眼用レンズシステム。
【請求項２０】  前記第２のレンズの前記ゾーンの１つが中距離視力のための追加パワーを有している、請求項１７に記載の眼用レンズシステム。
【請求項２１】  前記第２のレンズが、十分な光を近距離焦点領域に導き、当該第２のレンズが前記の中距離から近距離までより良い視力を有するように貢献する、請求項１７に記載の眼用レンズシステム。
【請求項２２】  前記第２のレンズの第２のゾーンの面積が、前記第１のレンズの第２のゾーンの面積よりも広い、請求項１７に記載の眼用レンズシステム。
【請求項２３】  前記第２のレンズの第２のゾーンが半径方向外側に延び、当該ゾーンが半径方向外側に延びるにしたがって段階的に減少する視力矯正パワーを有している、請求項１７に記載の眼用レンズシステム。
【請求項２４】  患者の視力を改善するための眼用レンズシステムであって：
患者のための遠距離視力に必要とされるパワーと、前記患者の完全な近距離視力の矯正に必要とされる追加パワーよりも小さい最大追加パワーとを含むパワーを有する、患者の一方の目に使用される第１の多焦点眼内レンズと；
前記患者の他方の目に使用される第２の多焦点眼内レンズと；
前記第１の眼内レンズが前記第２の眼内レンズと比較して無限遠の目標物に対してより良い視力を有し、前記第２の眼内レンズが前記第１の眼内レンズと比較して近距離の目標物に対してより良い視力を有することとからなる眼用レンズシステム。
【請求項２５】  前記第１の眼内レンズの最大追加パワーが、概略中距離視力矯正に必要とされるパワーよりも大きくはない、請求項２４に記載の眼用レンズシステム。
【請求項２６】  患者の第１及び第２の目にそれぞれ使用される、各光軸を有する第１及び第２の眼内レンズと；
前記第１及び第２の眼内レンズのパワーが各関連する光軸から半径方向外側に向けたパワーカーブに沿って変化し、前記第１の眼内レンズに対するパワーカーブが前記第２の眼内レンズに対するパワーカーブとは異なっていることと；
前記第１の眼内レンズの最大追加パワーが、完全な近距離視力の矯正に必要とされる追加パワーよりも小さいこととからなる眼用レンズシステム。
【請求項２７】  前記第１の眼内レンズのパワーが、概略遠距離視力矯正に必要とされるパワーから概略中距離視力矯正に必要とされるパワーである前記最大追加パワーまで変化する、請求項２６に記載の眼用レンズシステム。
【請求項２８】  前記第２の眼内レンズが、中距離視力のための追加パワーを備えた光学ゾーンを有している、請求項２６に記載の眼用レンズシステム。
【手続補正２】
【補正対象書類名】明細書
【補正対象項目名】００１９
【補正方法】変更
【補正の内容】
【００１９】
１つの好ましい実施の形態では、第１のレンズは、当該第１のレンズの光軸に対して半径方向に配置された第１、第２、第３の光学ゾーンを有し、前記第２のゾーンは中間、すなわち前記第１と第３のゾーンの間にあってこれら第１及び第３のゾーンのいずれよりも大きな追加パワーを有している。第２のレンズは、当該第２のレンズの光軸に対して半径方向に配置された第１、第２、第３の光学ゾーンを有し、前記第２のゾーンは、前記第１と第３のゾーンの中間にあってこれら第１及び第３のゾーンのいずれよりも大きい追加パワーを有している。
【手続補正３】
【補正対象書類名】明細書
【補正対象項目名】００３８
【補正方法】変更
【補正の内容】
【００３８】
遠距離矯正ゾーン２７、３１、３５の環状の面積は、中距離パワーゾーン２９、３３の環状の面積よりも意図的に大きくされている。加えて、３つの遠距離パワーゾーン２７、３１、３５と、２つの中距離視力矯正ゾーン２９、３３としかないが、所望であればこれ以外のゾーンの数とすることもできる。このようにレンズ本体１５のより広い表面が、他のいずれの焦点領域よりも遠距離焦点領域へ光を集束し、もしくは導くために供されている。したがって、ＩＯＬ  １１は、遠距離から中距離まで非常に良好な視力を提供し、無限遠の目標物に対してはＩＯＬ  １３よりもより良好な視力を提供する。ＩＯＬ  １１は遠距離から中距離の視力に最適化されている。
【手続補正４】
【補正対象書類名】明細書
【補正対象項目名】００４３
【補正方法】変更
【補正の内容】
【００４３】
ゾーン３９の視力矯正パワーは、図５に示すように例えば３ジオプタなどの近距離視力矯正用の追加パワーから、この近距離視力矯正用の追加パワーよりもわずかに低い追加パワーまで半径方向外側に段階的にわずかに減少し、これによって球形収差矯正を提供する。さらに又、球形収差に対する矯正のため、図５に示すようにゾーン４３の最大パワーは概略ゾーン３９の最小パワーであり、それから半径方向外側に向けて段階的に僅かに減少する。例として、ゾーン３９のパワーは、約３ジオプタから約２．７５ジオプタへと直線的に減少し、ゾーン４３の視力矯正パワーは約２．７５ジオプタから約２．５５ジオプタへと半径方向に向けて直線的に減少させることができる。このように、ゾーン３９と４３の全てのパワーは、近距離視力矯正のための追加パワーと考えることができる。このように図５から容易に理解されるように、第２のレンズのいかなる領域の最小パワーも概略、近距離視力矯正用のパワーよりも大きくはない。
【手続補正５】
【補正対象書類名】図面
【補正対象項目名】図５
【補正方法】変更
【補正の内容】
【図５】
2003531708.tif 000001